【手続補正書】
【提出日】平成27年4月22日(2015.4.22)
【手続補正１】
【補正対象書類名】明細書
【補正対象項目名】全文
【補正方法】変更
【補正の内容】
【発明の詳細な説明】
【発明の名称】黄体機能評価装置、黄体機能評価システム、および、その方法
【技術分野】
【０００１】
この発明は、黄体の機能を評価する装置に関し、より詳しくは、基礎体温に基づいて黄体の機能を評価する装置に関する。
【０００２】
また、この発明は、基礎体温に基づいて黄体の機能を評価する方法をコンピュータに実行させるためのプログラムに関する。
【背景技術】
【０００３】
従来、女性の基礎体温に関連したサービスとして、排卵日や月経日の予測を行うサービスが実施されている。この種の技術としては、例えば、特許文献１（特開２００８−２６４３５２号公報）に示すように、複数日にわたる体温の検出データに基づいて月経周期における体温の二相性を推定するものがある。
【０００４】
また、特許文献２（特表２０１０−５０２３３８号公報）に示すように、雌の哺乳類から複数の温度を読み取り、複数の温度のうちの最大値でも最小値でもない代表的な温度値を取得し、当該代表的な温度値を分析し、雌の哺乳類の受精に関する情報を提供するものがある。
【先行技術文献】
【特許文献】
【０００５】
【特許文献１】特開２００８−２６４３５２号公報
【特許文献２】特表２０１０−５０２３３８号公報
【発明の概要】
【発明が解決しようとする課題】
【０００６】
しかしながら、上記従来技術においては、黄体機能の評価に関連した情報は提供されない。したがって、ユーザが黄体機能についての知見を求める場合には、医師に診断を依頼する必要があった。そのため、手軽に黄体機能の評価を得られる技術が求められていた。
【０００７】
そこで、この発明の課題は、ユーザが、黄体機能についての知見を手軽に取得することができる装置を提供することにある。
【課題を解決するための手段】
【０００８】
上記課題を解決するため、この発明の一実施形態である黄体機能評価装置は、
或る被験者についての複数日にわたる基礎体温測定値の情報を含む基礎体温データを取得する体温取得部と、
複数日中に含まれる月経開始日、および、月経開始日に対応する月経最終日の情報を取得する月経周期取得部と、
月経開始日から月経最終日までの期間中の相異なる日に測定された複数の基礎体温測定値に基づいて、黄体の機能を評価する評価部と、
評価部による黄体機能評価の結果を出力する出力部と、を有することを特徴とする。
【０００９】
この発明の一実施形態である黄体機能評価装置は、被験者についての複数日にわたる基礎体温測定値に基づいて、装置が黄体の機能を評価し、評価の結果を出力する。これにより、被験者に黄体機能の評価結果が提示される。そのため、ユーザは、黄体機能についての知見を手軽に取得することができる。
【００１０】
この発明の一実施形態の黄体機能評価装置は、評価部が、黄体機能を少なくとも正常、および、不全を含む複数の評価段階で評価してもよいことを特徴とする。
【００１１】
この発明の一実施形態である黄体機能評価装置は、被験者の黄体機能が、正常であるか、正常でない（不全）か、を評価することができる。そのため、ユーザは、黄体機能が正常であるか、否か、についての知見を手軽に取得することができる。
【００１２】
なお、本明細書においては、黄体機能が不全である、とは、排卵の有無にかかわらず、黄体機能が正常であると評価されない状態を全て含む。
【００１３】
この発明の一実施形態の黄体機能評価装置は、評価部が、黄体機能を不全であると評価した場合、さらに、複数の基礎体温測定値に基づいて、排卵の有無を推定し、さらに、不全とした評価を、少なくとも、排卵有り、および、排卵無し、を含む複数の階級に振り分けてもよいことを特徴とする。
【００１４】
この発明の一実施形態である黄体機能評価装置は、被験者の黄体機能が不全であると評価した場合、排卵の有無を推定し、推定の結果を黄体機能の評価に反映させることができる。そのため、ユーザは、排卵が有ったか、否か、についての知見を手軽に取得することができる。
【００１５】
この発明の一実施形態の黄体機能評価装置は、評価部が、月経開始日および月経最終日の情報にもとづいて月経開始日から開始する今回の月経の周期を導出し、複数の基礎体温測定値にもとづいて基礎体温曲線が高温相と低温相とを含む２相性であるか否かを表す相性を導出し、今回の月経の周期の日数と、基礎体温曲線の相性と、に基づいて、黄体の機能を評価してもよいことを特徴とする。
【００１６】
この発明の一実施形態の黄体機能評価装置は、評価部が、複数の基礎体温測定値にもとづいて今回の月経の周期における高温相の日数を導出し、今回の月経の周期の日数と、基礎体温曲線の相性と、高温相の日数と、に基づいて、黄体の機能を評価してもよいことを特徴とする。
【００１７】
この発明の一実施形態の黄体機能評価装置は、評価部が、複数の基礎体温測定値にもとづいて高温相上昇完了日および高温相下降開始日を導出し、今回の月経の周期の日数と、基礎体温曲線の相性と、高温相の日数と、高温相上昇完了日と、高温相下降開始日と、に基づいて、黄体の機能を評価してもよいことを特徴とする。
【００１８】
この発明の一実施形態の黄体機能評価装置は、評価部が、複数の基礎体温測定値にもとづいて、低温相において予め定めた温度よりも高い基礎体温測定値が連続する日数である高温十分連続日数、低温相における基礎体温測定値の変動の程度を示す指標である低温相不安定度、および、高温相における基礎体温測定値の安定度を示す指標である高温相安定度を導出し、今回の月経の周期の日数と、基礎体温曲線の相性と、高温相の日数と、高温相上昇完了日と、高温相下降開始日と、高温十分連続日数と、低温相不安定度と、高温相安定度と、に基づいて、黄体の機能を評価してもよいことを特徴とする。
【００１９】
この発明の一実施形態の黄体機能評価装置は、評価部が、複数の基礎体温測定値にもとづいて、月経開始日から予め定めた第１の日数だけ経過した日から低温相の最終日までにおける基礎体温測定値のうちで最も高い温度である低温相水準上限値と、月経開始日から第１の日数だけ経過した日から低温相の最終日までにおける基礎体温測定値のうちで最も低い温度である低温相水準下限値と、低温相水準上限値および低温相水準下限値の平均値である低温相水準値と、高温相における基礎体温測定値の平均値である高温相水準値と、高温相において前日の基礎体温測定値からの下降量が最も大きい日の基礎体温測定値である上昇後最大下降日温度と、を導出し、今回の月経の周期の日数と、基礎体温曲線の相性と、高温相の日数と、高温相上昇完了日と、高温相下降開始日と、高温十分連続日数と、低温相不安定度と、高温相安定度と、低温相水準上限値と、低温相水準下限値と、低温相水準値と、高温相水準値と、上昇後最大下降日温度と、に基づいて、黄体の機能を評価してもよいことを特徴とする。
【００２０】
この発明の一実施形態の黄体機能評価装置は、評価部が、月経開始日および月経最終日の情報にもとづいて月経開始日から開始する今回の月経の周期を導出し、当該周期の日数にもとづいて、今回の月経を、少なくとも、頻発月経、続発性無月経、および、稀発月経を含む複数の階級に振り分けもよいことを特徴とする。
【００２１】
この発明の一実施形態である黄体機能評価装置は、黄体機能の評価に加え、さらに月経についての評価を決定することができる。そのため、ユーザは、月経が、頻発月経、続発性無月経、または、稀発月経であるか、否か、についての知見を手軽に取得することができる。
【００２２】
この発明の一実施形態の黄体機能評価装置は、月経周期取得部が、さらに、月経開始日の前日を最終日とする前回の月経の周期の日数を取得してもよく、さらに、評価部は、前回の月経の周期の日数と、今回の月経の周期とを比較することにより、月経の周期が不正月経周期であるかどうかについて評価してもよいことを特徴とする。
【００２３】
この発明の一実施形態である黄体機能評価装置は、黄体機能の評価に加え、さらに月経の周期についての評価を決定することができる。そのため、ユーザは、月経の周期が、不正月経周期であるか、否か、についての知見を手軽に取得することができる。
【００２４】
この発明の一実施形態の黄体機能評価装置は、評価部が、複数の基礎体温測定値に基づいて、今回の月経の周期を、少なくとも、低温相の期間、および、高温相の期間、を含む複数の期間に区分けし、当該区分けの結果と、今回の月経の周期と、にもとづいて、卵胞期の長短について評価してもよいことを特徴とする。
【００２５】
この発明の一実施形態である黄体機能評価装置は、黄体機能の評価に加え、さらに卵胞期の長短についての評価を決定することができる。そのため、ユーザは、卵胞期が長いか短いか、についての知見を手軽に取得することができる。
【００２６】
この発明の一実施形態の黄体機能評価装置は、さらに、外部の体温計が検出した体温を基礎体温測定値として当該外部の体温計から受信し、体温取得部へ出力する通信部と、出力部が出力した黄体機能評価の結果を受けて、当該結果をユーザへ通知する通知部と、を有する、ことを特徴とする。
【００２７】
この発明の一実施形態である黄体機能評価装置は、外部の体温計が検出した体温を基礎体温測定値として当該外部の体温計から受信して、黄体機能を評価することができる。そのため、ユーザは、より手軽に黄体機能についての知見を手軽に取得することができる。
【００２８】
この発明の一実施形態の黄体機能評価装置は、さらに、体温を検出するセンサ部と、出力部が出力した前記黄体機能評価の結果を受けて、当該結果をユーザへ通知する通知部と、を有し、体温取得部は、センサ部が検出した体温を前記基礎体温測定値として取得することを特徴とする。
【００２９】
この発明の一実施形態である黄体機能評価装置は、自機のセンサ部が体温を検出し、当該体温を基礎体温測定値として取得し、黄体機能を評価することができる。そのため、ユーザは、よりさらに手軽に黄体機能についての知見を手軽に取得することができる。
【００３０】
この発明の別の一実施形態である黄体機能評価システムは、
体温を検出するセンサ部と、センサ部が検出した体温を基礎体温測定値として外部へ送出可能な第１の通信部と、を備える体温計と、
第１の通信部が出力した基礎体温測定値を受信する第２の通信部と、受信した基礎体温測定値をネットワークへ送出し、ネットワークから黄体機能評価の結果を受信する第１のネットワーク通信部と、黄体機能評価の結果をユーザへ通知する通知部と、を備える端末装置と、
或る被験者についての複数日にわたる基礎体温測定値の情報を含む基礎体温データを取得する体温取得部と、複数日中に含まれる月経開始日、および、月経開始日に対応する月経最終日の情報を取得する月経周期取得部と、月経開始日から月経最終日までの期間中の相異なる日に測定された複数の基礎体温測定値に基づいて、黄体の機能を評価する評価部と、評価部による黄体機能評価の結果を出力する出力部と、ネットワークを介して基礎体温測定値を受信し、出力部が出力する黄体機能評価の結果をネットワークへ送出する第２のネットワーク通信部と、を備える黄体機能評価装置と、
を有する黄体機能評価システムであることを特徴とする。
【００３１】
この発明の一実施形態である黄体機能評価システムは、被験者についての複数日にわたる基礎体温測定値に基づいて、装置が黄体の機能を評価し、評価の結果を出力する。これにより、被験者に黄体機能の評価結果が提示される。そのため、ユーザは、黄体機能についての知見を手軽に取得することができる。
【００３２】
一実施形態の黄体機能評価システムでは、端末装置が、さらに、ユーザによる入力を受け取る操作部を備え、ユーザが入力した月経開始日および月経最終日の情報を、第１のネットワーク通信部からネットワークへ送出してもよく、黄体機能評価装置の月経周期取得部は、端末装置が送出した月経開始日および月経最終日の情報を、第２のネットワーク通信部を介してネットワークから取得してもよいことを特徴とする。
【００３３】
この発明の一実施形態である黄体機能評価システムでは、ユーザが端末装置を操作して月経開始日および月経最終日の情報を入力することができ、当該情報がネットワークを介して黄体機能評価装置へ送られる。そのため、ユーザは、簡便に月経開始日および月経最終日の情報を入力することができ、そのようにして入力された情報にもとづいて、黄体機能評価装置が黄体機能を評価することができるので、黄体機能の評価の精度が向上する。
【００３４】
一実施形態の黄体機能評価システムでは、端末装置が、さらに、画像を生成可能な描画部と、画像を表示可能な表示部と、を備えてもよく、描画部は、黄体機能評価の結果にもとづいて基礎体温曲線の模式図の画像を生成し、表示部に模式図を表示させてよいことを特徴とする。
【００３５】
この発明の一実施形態である黄体機能評価システムでは、端末装置の表示部に、基礎体温曲線の模式図が表示される。そのため、ユーザは、基礎体温曲線の特徴を直観的に理解することができ、医師の診察を受けるなどといった適切な行動をとることが容易になる。
【００３６】
この発明のさらに別の一実施形態である黄体機能評価方法は、
或る被験者についての複数日にわたる基礎体温測定値の情報を含む基礎体温データを取得する体温取得ステップと、
複数日中に含まれる月経開始日、および、月経開始日に対応する月経最終日の情報を取得する月経周期取得ステップと、
月経開始日から月経最終日までの期間中の相異なる日に測定された複数の基礎体温測定値に基づいて、黄体の機能を評価する評価ステップと、
評価ステップによる黄体機能評価の結果を出力する出力ステップと、
を有する黄体機能評価方法であることを特徴とする。
【００３７】
この発明の一実施形態である黄体機能評価方法は、被験者についての複数日にわたる基礎体温測定値に基づいて、装置が黄体の機能を評価し、評価の結果を出力する。これにより、被験者に黄体機能の評価結果が提示される。そのため、ユーザは、黄体機能についての知見を手軽に取得することができる。
【００３８】
この発明のさらに別の一実施形態である黄体機能評価プログラムは、
コンピュータに、
或る被験者についての複数日にわたる基礎体温測定値の情報を含む基礎体温データを取得する体温取得ステップと、
複数日中に含まれる月経開始日、および、月経開始日に対応する月経最終日の情報を取得する月経周期取得ステップと、
月経開始日から月経最終日までの期間中の相異なる日に測定された複数の基礎体温測定値に基づいて、黄体の機能を評価する評価ステップと、
評価ステップによる黄体機能評価の結果を出力する出力ステップと、
を実行させる黄体機能評価プログラムであることを特徴とする。
【００３９】
この発明の一実施形態である黄体機能評価プログラムは、被験者についての複数日にわたる基礎体温測定値に基づいて、装置が黄体の機能を評価し、評価の結果を出力する。これにより、被験者に黄体機能の評価結果が提示される。そのため、ユーザは、黄体機能についての知見を手軽に取得することができる。
【発明の効果】
【００４０】
以上より明らかなように、この発明の装置によれば、基礎体温測定値に基づいて、装置が黄体の機能を評価し、評価の結果を出力する。そのため、ユーザは、黄体機能についての知見を手軽に取得することができる。
【図面の簡単な説明】
【００４１】
【図１】この発明の一実施形態の黄体機能評価システムの構成を示すブロック図である。
【図２】上記システムに含まれるスマートフォンの構成を示すブロック図である。
【図３】上記システムに含まれるサーバの構成を示すブロック図である。
【図４】上記システムに含まれる体温計の構成を示すブロック図である。
【図５】上記システムに含まれるスマートフォンにおいて表示される黄体機能評価の結果の例を示す図である。
【図６】上記システムに含まれるスマートフォンにおいて表示される黄体機能評価の結果の別例を示す図である。
【図７】上記システムに含まれるサーバの概略的な動作フローを示す図である。
【図８Ａ】上記概略的動作フローに含まれる評価指標導出にかかる動作のフローの一部を示す図である。
【図８Ｂ】上記評価指標導出にかかる動作のフローの一部を示す図である。
【図８Ｃ】上記評価指標導出にかかる動作のフローの一部を示す図である。
【図８Ｄ】上記評価指標導出にかかる動作のフローの一部を示す図である。
【図９Ａ】上記概略的動作フローに含まれる黄体機能評価にかかる動作のフローの一部を示す図である。
【図９Ｂ】上記黄体機能評価にかかる動作のフローの一部を示す図である。
【図９Ｃ】上記黄体機能評価にかかる動作のフローの一部を示す図である。
【図９Ｄ】上記黄体機能評価にかかる動作のフローの一部を示す図である。
【図９Ｅ】上記黄体機能評価にかかる動作のフローの一部を示す図である。
【図９Ｆ】上記黄体機能評価にかかる動作のフローの一部を示す図である。
【図９Ｇ】上記黄体機能評価にかかる動作のフローの一部を示す図である。
【図１０Ａ】上記概略的動作フローに含まれる黄体機能以外の評価にかかる動作のフローの一部を示す図である。
【図１０Ｂ】上記黄体機能以外の評価にかかる動作のフローの一部を示す図である。
【図１１Ａ】上記システムに含まれるスマートフォンがする模式図描画にかかる動作フローの一部を示す図である。
【図１１Ｂ】上記模式図描画にかかる動作のフローの一部を示す図である。
【図１１Ｃ】上記模式図描画にかかる動作のフローの一部を示す図である。
【発明を実施するための形態】
【００４２】
以下、この発明の実施の形態を、図面を参照しながら詳細に説明する。
【００４３】
１．システム構成
図１は、この発明の一態様である黄体機能評価装置をネットワーク上のサーバ３００として構成し、一実施形態の黄体機能評価システム（全体を符号１００で示す。）を構成した例を示す図である。このシステム１００は、携帯端末としてのスマートフォン２００と、黄体機能評価装置として動作するサーバ３００と、体温計４００とを含む。スマートフォン２００と体温計４００とは、ＮＦＣ（Near Field Communication；近距離無線通信）によって互いに通信可能である。スマートフォン２００とサーバ３００とは、ネットワーク９００を介して互いに通信可能である。
【００４４】
図２に示すように、スマートフォン２００は、本体２００Ｍと、この本体２００Ｍに搭載された、制御部２１０と、メモリ２２０と、操作部２３０と、表示部２４０と、ＮＦＣ通信部２８０と、ネットワーク通信部２９０とを含む。このスマートフォン２００は、市販のスマートフォンに、後述の処理を行わせるようにアプリケーションソフトウェア（コンピュータ・プログラム）をインストールしたものである。
【００４５】
制御部２１０は、ＣＰＵ（Central Processing Unit；中央演算処理装置）およびその補助回路を含み、スマートフォン２００の各部を制御し、メモリ２２０に記憶されたプログラムおよびデータに従って後述の処理を実行する。すなわち、操作部２３０、および、ＮＦＣ通信部２８０、ネットワーク通信部２９０から入力されたデータを処理し、処理したデータを、メモリ２２０に記憶させたり、表示部２４０で表示させたり、ＮＦＣ通信部２８０、ネットワーク通信部２９０から出力させたりする。
【００４６】
メモリ２２０は、制御部２１０でプログラムを実行するために必要な作業領域として用いられるＲＡＭ（Random Access Memory）と、制御部２１０で実行するための基本的なプログラムを記憶するためのＲＯＭ（Read Only Memory）とを含む。また、メモリ２２０の記憶領域を補助するための補助記憶装置の記憶媒体として、半導体メモリ（メモリカード、ＳＳＤ（Solid State Drive））などが用いられてもよい。
【００４７】
操作部２３０は、この例では、表示部２４０上に設けられたタッチパネルからなっている。なお、キーボードその他のハードウェア操作デバイスを含んでいてもよい。
【００４８】
表示部２４０は、表示画面（例えば、ＬＣＤ（Liquid Crystal Display）またはＥＬ（Electroluminescence）ディスプレイなど）を含む。表示部２４０は、制御部２１０によって制御されて、所定の画像を表示画面に表示させる。
【００４９】
ＮＦＣ通信部２８０は、このスマートフォン２００に体温計４００が接近したとき、体温計４００と近距離無線通信を行って、体温計４００から体温（基礎体温測定値）および測定日時の情報を含んだデータを受信する。
【００５０】
ネットワーク通信部２９０は、制御部２１０からの情報を、ネットワーク９００を介して他の装置（この例ではサーバ３００）へ送信するとともに、他の装置からネットワーク９００を介して送信されてきた情報を受信して制御部２１０に受け渡す。
【００５１】
図３に示すように、サーバ３００は、制御部３１０と、記憶部３２０と、操作部３３０と、表示部３４０と、ネットワーク通信部３９０とを含む。このサーバ３００は、汎用のコンピュータ装置に、後述の処理を行わせるようにコンピュータ・プログラム（ソフトウェア）をインストールしたものである。
【００５２】
制御部３１０は、ＣＰＵ（Central Processing Unit）およびその補助回路を含み、サーバ３００の各部を制御し、記憶部３２０に記憶されたプログラムおよびデータに従って所定の処理を実行し、操作部３３０、および、ネットワーク通信部３９０から入力されたデータを処理し、処理したデータを、記憶部３２０に記憶させたり、表示部３４０で表示させたり、ネットワーク通信部３９０から出力させたりする。
【００５３】
記憶部３２０は、制御部３１０でプログラムを実行するために必要な作業領域として用いられるＲＡＭ（Random Access Memory）と、制御部３１０で実行するための基本的なプログラムを記憶するためのＲＯＭ（Read Only Memory）とを含む。記憶部３２０には、ユーザから送られてきた基礎体温データを含むデータベース３２１が設けられている。また、記憶部３２０の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disc）、ＢＤ（Blu-ray Disc））、光磁気ディスク（ＭＯ（Magneto-Optical disk））、または、半導体メモリ（メモリカード、ＳＳＤ（Solid State Drive））などが用いられてもよい。
【００５４】
操作部３３０は、この例では、キーボードおよびマウスで構成され、ユーザ（サーバ管理者、被験者であるユーザなど）による操作を示す操作信号を制御部３１０に入力する。また、操作部３３０は、キーボードおよびマウスに替えて、または、加えて、タッチパネルなどの他の操作デバイスで構成されるようにしてもよい。
【００５５】
表示部３４０は、表示画面（例えば、ＬＣＤ（Liquid Crystal Display）またはＥＬ（Electroluminescence）ディスプレイなど）を含む。表示部３４０は、制御部３１０によって制御されて、所定の画像をディスプレイに表示させる。
【００５６】
ネットワーク通信部３９０は、制御部３１０からの情報を、ネットワーク９００を介して他の装置（この例ではスマートフォン２００）へ送信するとともに、他の装置からネットワーク９００を介して送信されてきた情報を受信して制御部３１０に受け渡す。
【００５７】
図４に示すように、体温計４００は、この例では市販の婦人用電子体温計（オムロン製ＭＣ−６４２Ｌ）であり、ケーシング４００Ｍと、このケーシング４００Ｍに搭載された、制御部４１０と、メモリ４２０と、センサ部４３０と、表示部４４０と、ＮＦＣ通信部４９０とを含む。
【００５８】
センサ部４３０は、温度センサを含み、婦人の体温（例えば、基礎体温）を測定して取得する。
【００５９】
メモリ４２０は、体温計４００を制御するためのプログラムのデータ、体温計４００の各種機能を設定するための設定データ、体温測定結果のデータなどを記憶する。この例では、メモリ４２０は、複数日分（例えば、最大４０日分）の基礎体温データとそれに対応する測定日時とを記憶することができる。また、メモリ４２０は、プログラムが実行されるときのワークメモリなどとして用いられる。
【００６０】
制御部４１０は、ＣＰＵ（Central Processing Unit）を含み、メモリ４２０に記憶された体温計４００を制御するためのプログラムに従って、センサ部４３０からの検知信号に基づいて、メモリ４２０、表示部４４０、および、ＮＦＣ通信部４９０を制御する。
【００６１】
表示部４４０は、この例ではＬＣＤ（液晶表示素子）からなる表示画面を含み、この表示画面に制御部４１０から受けた信号に従って所定の情報を表示する。
【００６２】
ＮＦＣ通信部４９０は、この体温計４００がスマートフォン２００に接近したとき、スマートフォン２００と近距離無線通信を行って、スマートフォン２００へ基礎体温測定値および測定日時を表すデータを送信する。
【００６３】
２．システム動作フロー
このシステム１００は、次のように用いられる。
【００６４】
ｉ）  ユーザ（被験者）が、体温計４００を用いて、例えば月経の一周期内の複数日について日ごとに基礎体温を測定する。この例では、基礎体温測定値のデータは、その基礎体温を測定したときの測定日時とともに、体温計４００のメモリ４２０に記憶される。
【００６５】
ユーザが、体温計４００をスマートフォン２００に接近させると、その度に、体温計４００のＮＦＣ通信部４９０（第１の通信部）と、スマートフォン２００のＮＦＣ通信部２８０（第２の通信部）とが通信を行い、体温計４００が保持する基礎体温測定値等のデータがスマートフォン２００へ伝送される。これにより、スマートフォン２００は、体温計４００から、複数日の日ごとの被験者の基礎体温測定値と測定日時を表すデータを取得する。
【００６６】
なお、体温計４００とスマートフォン２００との間の通信は、毎日行ってもよいし、この例では、体温計４００が測定結果を保持可能な最大日数を超えない範囲で定期的に行ってもよい。
【００６７】
なお、被験者がＮＦＣ通信部４９０を含まない体温計を用いて体温を測定した場合は、ユーザは、スマートフォン２００の操作部２３０を操作して、基礎体温測定値と測定日時を表すデータを手入力することもできる。
【００６８】
ii）  また、ユーザは、スマートフォン２００の操作部２３０を用いて、月経開始日、月経最終日、月経周期といった今回の月経に関する情報を入力する。併せて、ユーザは、前回の月経（今回の月経の月経開始日の前日を最終日とする月経）に関する情報を入力してもよい。
【００６９】
なお、今回の月経に関する情報は、スマートフォン２００、または、サーバ３００が、基礎体温測定値にもとづいて、公知の手法により月経周期（月経開始日および月経最終日）を推定することにより決定してもよい。ユーザが、月経開始日（または月経最終日）のみを入力した場合には、上記の推定において、ユーザが入力した月経開始日（または月経最終日）を参酌して月経最終日（または月経開始日）および月経周期を推定してもよい。そのようにした場合、ユーザである婦人は、月経開始日、月経最終日、月経周期等の情報を、操作部２３０を介して入力する必要がなく、入力の手間が省ける。
【００７０】
iii）  次に、ユーザは、スマートフォン２００の操作部２３０を操作して、スマートフォン２００に、各種情報をネットワーク通信部２９０からネットワーク９００を介してサーバ３００へ送信させる。ここでの各種情報には、スマートフォン２００が体温計４００から取得した基礎体温測定値および測定日時のデータ（基礎体温データ）、今回の月経に関する情報のデータが含まれる。また、各種情報に、前回の月経に関する情報のデータが含まれてもよい。
【００７１】
iv）  サーバ３００は、ネットワーク通信部３９０において、ネットワーク９００から基礎体温データ、今回の月経に関する情報のデータを受信する。このとき、サーバ３００は、併せて、前回の月経に関する情報のデータを受信してもよい。なお、サーバ３００は、受信した基礎体温データに含まれる基礎体温測定値にもとづいて、公知の手法により月経周期（月経開始日および月経最終日）を推定し、今回および前回の月経に関する情報を決定してもよい。また、ユーザは、スマートフォン２００以外の装置（サーバ３００そのものや図示しないネットワーク９００に接続されたパーソナル・コンピュータ等）を操作することにより、サーバ３００に対し、今回および前回の月経に関する情報を入力してもよい。
【００７２】
サーバ３００は、体温取得部として動作する制御部３１０の制御下において、ネットワーク通信部３９０がネットワーク９００を介してスマートフォン２００から受信した基礎体温データを、記憶部３２０のデータベース３２１に蓄積する。
【００７３】
なお、サーバ３００は、受信した基礎体温データに含まれる基礎体温測定値に、被験者が何らかの疾病等に罹患することにより生じた発熱による異常値や、測定ミス等により生じた異常値があるかどうかチェックし、検出された異常値を基礎体温データから取り除いてもよい。そして、取り除かれた体温測定値に測定日に関して近接する他の基礎体温測定値を用いて、取り除かれた体温測定値に相当する推定値を補間により生成し、データベース３２１に蓄積してもよい。また、サーバ３００は、受信した基礎体温データをチェックし、測定されなかった日が存在することを認めた場合には、当該非測定日の基礎体温測定値に相当する推定値を、非測定日に関して近接する他の基礎体温測定値を用いて補間により生成し、データベース３２１に蓄積してもよい。
【００７４】
また、サーバ３００は、月経周期取得部として動作する制御部３１０の制御下において、ネットワーク通信部３９０がネットワーク９００を介してスマートフォン２００から受信した今回や前回の月経に関する情報（月経開始日、月経最終日等）のデータを、記憶部３２０のデータベース３２１に蓄積する。なお、サーバ３００が、今回や前回の月経に関する情報を推定により決定する場合には、月経周期推定部として動作する制御部３１０による推定の結果を、月経周期取得部として動作する制御部３１０が、データベース３２１に蓄積する。
【００７５】
ｖ）  次に、サーバ３００の、評価部として動作する制御部３１０が、今回の月経周期（月経開始日から月経最終日までの期間）に含まれる複数の日に測定された基礎体温測定値に基づいて、被験者であるユーザの黄体の機能の評価を行う。具体的には、評価部として動作する制御部３１０は、複数の基礎体温測定値から、黄体機能を評価するための評価指標を導出し、当該評価指標に基づいて黄体の機能が正常であるか、不全であるか、を評価する。したがって、評価部として動作する制御部３１０は、複数の基礎体温測定値にもとづいて、黄体の機能を、少なくとも、正常、および、不全、といった２段階に評価することができる。
【００７６】
また、評価部として動作する制御部３１０は、黄体の機能が不全であると評価した場合、評価指標に基づいて、排卵の有無を推定することができる。よって、評価部として動作する制御部３１０は、複数の基礎体温測定値にもとづいて、黄体の機能を、少なくとも、正常、または、黄体機能は不全であるものの排卵は有る（有った）、もしくは、黄体機能は不全であり排卵も無い（無かった）、といった３段階に評価することも可能である。
【００７７】
上記の黄体機能に関する評価に加え、評価部として動作する制御部３１０は、被験者の月経周期についての評価や、卵胞期の長短についての評価をすることもできる。
【００７８】
vi）評価部による評価が完了すると、サーバ３００は、出力部として動作する制御部３１０の制御下において、ネットワーク通信部３９０からネットワーク９００を介してスマートフォン２００へ、評価の結果を出力する。評価の結果は、例えば、黄体機能の評価、月経周期についての評価、卵胞期の長短についての評価等を含み、さらに、これらの評価を総合して決定されるコメントや、評価結果を図案に置き換えた画像や音声などのデータを含んでよい。また、評価の結果には、評価に際し基礎体温測定値から導出された複数の評価指標に関する情報が含まれてもよい。
【００７９】
なお、サーバ３００は、出力部として動作する制御部３１０の制御下において、自機の表示部３４０に評価の結果を表示させてもよい。あるいは、サーバ３００は、出力部として動作する制御部３１０の制御下において、自機の音声合成部（不図示）に評価の結果を音声として出力させてもよい。サーバ３００による評価結果の出力の態様は、ネットワーク９００への送出、表示部３４０による画像表示、音声合成部による音声出力等を含み、それらに限定されない。
【００８０】
vii）スマートフォン２００は、そのネットワーク通信部２９０において、ネットワーク９００を介してサーバ３００から送られる評価結果のデータを受信する。
【００８１】
viii）  スマートフォン２００は、受信した評価結果のデータをメモリ２２０に記憶する。そして、ユーザが、スマートフォン２００の操作部２３０を操作して、評価結果の表示をスマートフォン２００に対して指示すると、スマートフォン２００は、通知部として動作する制御部２１０の制御下において、表示部２４０に、評価結果を表示する。
【００８２】
なお、スマートフォン２００は、通知部として動作する制御部２１０の制御下において、自機の音声合成部（不図示）に評価の結果を音声として出力させてもよい。スマートフォン２００による評価結果のユーザへの通知の態様は、表示部２４０による画像表示、音声合成部による音声出力等を含み、それらに限定されない。
【００８３】
具体的には、スマートフォン２００は、通知部として動作する制御部２１０の制御下において、図５および図６に示すような評価結果の表示を行う。図５は、黄体機能が正常であると評価された場合の結果表示の一例であり、図６は、黄体機能が不全であると評価された場合の結果表示の一例である。
【００８４】
図５および図６に示すように、スマートフォン２００の表示部２４０には、黄体機能の評価、月経周期についての評価、卵胞期の長短についての評価等を総合して決定される評価コメント２４１が表示され、併せて、基礎体温曲線２４２、および、基礎体温曲線の特徴を抽出して生成される基礎体温曲線模式図２４３が表示される。模式図２４３にかかる画像データは、スマートフォン２００の制御部２１０が描画部として動作することにより、制御部２１０が黄体機能等の評価の結果に基づいて基礎体温曲線の模式図の画像を生成し、表示部２４０に模式図２４３として、基礎体温曲線２４２に重畳させて表示させる。模式図２４３は、ユーザが、自身の基礎体温曲線の特徴をより直観的に把握することを助けることを目的として、表示される。
【００８５】
図５および図６の例においては、評価結果は、評価コメント２４１の形式でユーザに通知されるが、評価結果の通知の形態はこれに限定されない。評価結果は、黄体機能の評価、月経周期についての評価、卵胞期の長短についての評価等それぞれについて、個別的に表示されることにより、ユーザに通知されてもよい。
【００８６】
このようにして、本発明の一実施形態であるシステム１００は、被験者（ユーザ）の基礎体温測定値に基づいて、黄体機能等の評価を行い、評価の結果を、ユーザに通知することができる。本システム１００により、ユーザは、これまで医師に診断を依頼しなければ得られなかった自身の黄体機能に関する知見を簡便に、人に知られずに、取得できるようになる。また、システム１００においては、評価結果の通知（例：評価コメント２４１）に加え、基礎体温曲線の模式図２４３がユーザに提示される。そのため、ユーザは、評価結果の裏付けとなるデータを直観的に理解可能な形態で提供され、ユーザの自身の体調に対する理解が促進される。そのため、評価結果が芳しくない内容を含むものであった場合に、ユーザに、医師の診察を受けるなどの適切な行動を積極的に選択させる効果が期待される。
【００８７】
３．サーバ動作詳細
以下、黄体機能評価装置として動作するサーバ３００がする動作を、添付の図面に示すフローチャートを参照し、詳細に説明する。
【００８８】
３．１．動作の流れ概要
先ず、図７を参照し、サーバの動作の流れを概略的に説明する。
【００８９】
ここではサーバ３００は、既に被験者の基礎体温データおよび今回の月経に関する情報のデータは、記憶部３２０に保持されているものとする。
【００９０】
ステップＳ１において、サーバ３００の制御部３１０は、体温取得部として動作することにより、基礎体温測定値に、被験者が何らかの疾病等に罹患することにより生じた発熱による異常値や、測定ミス等により生じた異常値があるかどうかチェックし、検出された異常値を基礎体温データから取り除く。
【００９１】
ステップＳ２において、制御部３１０は、取り除かれた体温測定値に測定日に関して近接する他の基礎体温測定値を用いて、取り除かれた体温測定値に相当する推定値を補間により生成し、基礎体温データを再構成する。また、サーバ３００の制御部３１０は、当該非測定日の基礎体温測定値に相当する推定値を、非測定日に関して近接する他の基礎体温測定値を用いて補間により生成し、基礎体温データを再構成する。
【００９２】
ステップＳ３において、サーバ３００の制御部３１０は、月経周期取得部として動作することにより、今回の月経に関する情報のデータをもとに、今回の月経の月経開始日および月経最終日を特定する。
【００９３】
ステップＳ４において、サーバ３００の制御部３１０は、評価部として動作することにより、基礎体温データに含まれる複数の基礎体温測定値にもとづいて、後述する複数の評価指標を導出する。評価指標およびステップＳ４にかかる評価指標導出動作については、後ほど図８Ａ乃至図８Ｄを参照し、詳細に説明する。
【００９４】
ステップＳ５において、サーバ３００の制御部３１０は、評価部として動作することにより、基礎体温測定値に基づいて導出された複数の評価指標にもとづいて、黄体の機能を評価する。ステップＳ５にかかる黄体機能評価動作については、後ほど図９Ａ乃至図９Ｇを参照し、詳細に説明する。
【００９５】
ステップＳ６において、サーバ３００の制御部３１０は、評価部として動作することにより、基礎体温測定値に基づいて導出された複数の評価指標にもとづいて、黄体の機能以外についての評価を行う。黄体の機能以外についての評価とは、例えば、月経周期についての評価や、卵胞期の長短についての評価である。ステップＳ６にかかる黄体機能以外の評価動作については、後ほど図１０Ａおよび図１０Ｂを参照し、詳細に説明する。
【００９６】
ステップＳ７において、サーバ３００の制御部３１０は、出力部として動作することにより、黄体機能および黄体機能以外の評価の結果を予め定めた形態で出力する。本システム１００では、評価の結果は、スマートフォン２００へ送信される。
【００９７】
３．２．評価指標導出動作の流れ
これより、図８Ａ乃至図８Ｄを参照し、評価指標およびステップＳ４にかかる評価指標導出動作について詳細に説明する。
【００９８】
図８Ａを参照すれば、ステップＳ４０１において、評価部としての制御部３１０（以下、「評価部」と略称する。）は、今回の月経の周期に含まれる基礎体温測定値のうちで最高および最低の値を、それぞれ、評価指標「最高温度」および「最低温度」として特定する。
【００９９】
ステップＳ４０２において、評価部は、今回の月経の周期（以下、特に誤解のおそれがない場合には、「月経周期」と略称する。）の第６日以降の基礎体温曲線の傾斜（評価指標「６日目以降傾斜」）を求める。なお、月経周期は、月経開始日を第１日とし、月経最終日に終了する期間である。
【０１００】
ここでの、「６日目以降傾斜」とは、月経周期第６日から月経最終日までの基礎体温測定値を、例えば最小二乗法などを用いて、直線で近似したときに得られる近似直線の傾きである。
【０１０１】
ステップＳ４０３において、評価部は、ステップＳ４０２において求めた指標「６日目以降傾斜」が、非負（ゼロまたは正）であるか否か、について判定する。指標「６日目以降傾斜」が非負であれば（「ＹＥＳ」）、処理はステップＳ４１０へ移行する。指標「６日目以降傾斜」が負であれば（「ＮＯ」）、処理はステップＳ４０４へ移行する。
【０１０２】
ステップＳ４０４において、評価部は、最高温度と最低温度との差（最高温度−最低温度）が、摂氏０．４０度以上であるか否か、について判定する。当該差が摂氏０．４０度以上であれば（「ＹＥＳ」）、処理はステップＳ４０８へ移行する。当該差が摂氏０．４０度未満であれば（「ＮＯ」）、処理はステップＳ４０５へ移行する。
【０１０３】
ステップＳ４０５において、評価部は、月経周期内の複数の基礎体温測定値について、８日以上連続して基礎体温測定値が最高温度−摂氏０．２５度以下である期間が存在するか否か、について判定する。当該期間が存在すると判定された場合（「ＹＥＳ」）、処理はステップＳ４０６へ移行する。当該期間は存在しないと判定された場合（「ＮＯ」）、処理は、ステップＳ４０７へ移行する。
【０１０４】
ステップＳ４０６において、評価部は、月経周期内の複数の基礎体温測定値について、ステップＳ４０５において存在すると判定された期間よりも後に、９日以上連続して基礎体温測定値が最低温度＋摂氏０．２５度以上である期間が存在するか否か、について判定する。当該期間が存在すると判定された場合（「ＹＥＳ」）、処理はステップＳ４１０へ移行する。当該期間は存在しないと判定された場合（「ＮＯ」）、処理は、ステップＳ４０７へ移行する。
【０１０５】
ステップＳ４０７において、評価部は、評価指標「相数」を、１相性に決定する。なお、評価指標「相数」は、基礎体温曲線が高温相と低温相とを含む２相性であるか、否か（１相性）かに関する指標である。
【０１０６】
また、ステップＳ４０８において、評価部は、月経周期内の複数の基礎体温測定値について、８日以上連続して基礎体温測定値が最低温度＋摂氏０．２５度以下である期間が存在するか否か、について判定する。当該期間が存在すると判定された場合（「ＹＥＳ」）、処理はステップＳ４０９へ移行する。当該期間は存在しないと判定された場合（「ＮＯ」）、処理は、ステップＳ４０７へ移行する（評価指標「相数」は、１相性に決定される）。
【０１０７】
ステップＳ４０９において、評価部は、月経周期内の複数の基礎体温測定値について、ステップＳ４０８において存在すると判定された期間よりも後に、９日以上連続して基礎体温測定値が最高温度−摂氏０．２５度以上である期間が存在するか否か、について判定する。当該期間が存在すると判定された場合（「ＹＥＳ」）、処理はステップＳ４１０へ移行する。当該期間は存在しないと判定された場合（「ＮＯ」）、処理は、ステップＳ４０７へ移行する（評価指標「相数」は、１相性に決定される）。
【０１０８】
図８Ｂを参照すれば、ステップＳ４１０において、評価部は、評価指標「高温相初日」を特定する。
【０１０９】
ここでの「高温相初日」は、月経周期の第５日以降の日であって、その日に測定された基礎体温測定値であって、その値が、月経周期の第１日からの基礎体温測定値の平均値＋摂氏０．１０度の値を上回る日を指す。ただし、当該条件を満足する日が複数ある場合には、月経最終日の１４日前に最も近い日を「高温相初日」とする。
【０１１０】
ステップＳ４１１において、評価部は、ステップＳ４１０において評価指標「高温相初日」を特定することができたか否か、（上記した条件を満足する日が存在したか否か、）について判定する。ステップＳ４１０において評価指標「高温相初日」が特定された場合（「ＹＥＳ」）、処理は、ステップＳ４１２へ移行する。ステップＳ４１０において評価指標「高温相初日」が特定されなかった場合（「ＮＯ」）、処理は、ステップＳ４２１へ移行する。
【０１１１】
ステップＳ４１２において、評価部は、評価指標「低温相水準上限値」を導出する。
【０１１２】
ここでの「低温相水準上限値」は、月経周期の第７日から低温相最終日（高温相初日の前日）までの基礎体温測定値のうちで最高の値である。
【０１１３】
ステップＳ４１３において、評価部は、評価指標「低温相水準下限値」を導出する。
【０１１４】
ここでの「低温相水準下限値」は、月経周期の第７日から低温相最終日（高温相初日の前日）までの基礎体温測定値のうちで最低の値である。
【０１１５】
ステップＳ４１４において、評価部は、評価指標「低温相水準値」を導出する。
【０１１６】
ここでの「低温相水準値」は、
低温相水準値＝（低温相水準上限値＋低温相水準下限値）／２、
で定まる値である。
【０１１７】
ステップＳ４１５において、評価部は、評価指標「基礎体温不安定度」を導出する。
【０１１８】
ここでの「基礎体温不安定度」は、月経周期の第７日から低温相最終日までに含まれる日の基礎体温測定値についての以下の総和、
基礎体温不安定度
＝（ΣＭａｘ（基礎体温測定値−（高温相初日の基礎体温測定値＋摂氏０．１８度），０））
／（低温相水準値算出範囲日数）、
であり、低温相水準値算出範囲日数は、月経周期の第７日から低温相最終日までの日数である。
【０１１９】
ステップＳ４１６において、評価部は、低温相水準値算出範囲（月経周期の第７日から低温相最終日までの期間）において、高温相初日の基礎体温測定値＋摂氏０．１８度を上回る日の数が、低温相水準値算出範囲日数の２５％を上回るか否か、について判定する。当該上回る日の数が低温相水準値算出範囲日数の２５％を上回ると判定された場合（「ＹＥＳ」）、処理はステップＳ４１９へ移行する。当該上回る日の数が低温相水準値算出範囲日数の２５％を上回らないと判定された場合（「ＮＯ」）、処理はステップＳ４１７へ移行する。
【０１２０】
ステップＳ４１７において、評価部は、評価指標「高温相上昇完了日」を特定する。
【０１２１】
ここでの「高温相上昇完了日」は、基礎体温が十分に上がりきった日であり、具体的には、高温相初日以降の日であってその日の基礎体温測定値が、低温相水準値＋摂氏０．３０度以上であり、かつ、低温相水準上限値以上となる最初の日を指す。
【０１２２】
ステップＳ４１８において、評価部は、評価指標「高温相下降完了日」を特定する。
【０１２３】
ここでの「高温相下降完了日」は、基礎体温が比較的高い最後の日であって、具体的には、高温相初日以降の日であってその日の基礎体温測定値が、低温相水準上限値以上であり、最後の日を指す。
【０１２４】
また、処理がステップＳ４１６からステップＳ４１９へ移行した場合、ステップＳ４１９において、評価部は、評価指標「基礎体温不安定度」が摂氏０．０３度以上であるか否か、について判定する。基礎体温不安定度が摂氏０．０３度以上であると判定された場合（「ＹＥＳ」）、処理はステップＳ４２０へ移行する。基礎体温不安定度が摂氏０．０３度未満であると判定された場合（「ＮＯ」）、処理はステップＳ４１７へ移行する。
【０１２５】
ステップＳ４２０において、評価部は、評価指標「相数」を、１相性に決定する。
【０１２６】
また、処理がステップＳ４１１からステップＳ４２１へ移行した場合、ステップＳ４２１において、評価部は、評価指標「相数」を、１相性に決定する。
【０１２７】
図８Ｃを参照すれば、ステップＳ４２１において、評価部は、ステップＳ４１７において評価指標「高温相上昇完了日」を特定することができたか否か、（条件を満足する日が存在したか否か、）について判定する。ステップＳ４１７において評価指標「高温相上昇完了日」が特定された場合（「ＹＥＳ」）、処理は、ステップＳ４２２へ移行する。ステップＳ４１７において評価指標「高温相上昇完了日」が特定されなかった場合（「ＮＯ」）、処理は、ステップＳ４２７へ移行する。
【０１２８】
ステップＳ４２２において、評価部は、評価指標「高温相下降開始日」を特定する。
【０１２９】
ここでの「高温相下降開始日」は、高温相初日以降の日であってその日の基礎体温測定値が、低温相水準値＋摂氏０．３０度以上であり、かつ、低温相水準上限値以上となる最後の日を指す。
【０１３０】
ステップＳ４２３において、評価部は、高温相上昇完了日から高温相下降開始日までの期間の日数が、高温相初日から月経最終日までの期間の日数の３分の１を上回るか否か、について判定する。高温相上昇完了日から高温相下降開始日までの期間の日数が、高温相初日から月経最終日までの期間の日数の３分の１を上回ると判定された場合（「ＹＥＳ」）、処理は、ステップＳ４２４へ移行する。上回らないと判定された場合（「ＮＯ」）、処理は、ステップＳ４２６へ移行する。
【０１３１】
ステップＳ４２４において、評価部は、評価指標「高温相水準値」を導出する。
【０１３２】
ステップＳ４２４における導出過程では、高温相上昇完了日から高温相下降開始日までの基礎体温測定値の平均値を導出し、それを「高温相水準値」とする。
【０１３３】
また、処理がステップＳ４２３からステップＳ４２６へ移行した場合、ステップＳ４２６において、評価部は、特定した「高温相上昇完了日」および「高温相下降開始日」を無効にする。
【０１３４】
そして、ステップＳ４２７において、評価部は、評価指標「高温相水準値」を導出する。
【０１３５】
ただし、ステップＳ４２７における導出過程では、ステップＳ４２４におけるそれと異なり、高温相初日から高温相下降完了日までの基礎体温測定値の平均値を導出し、それを「高温相水準値」とする。
【０１３６】
ステップＳ４２４およびステップＳ４２７のいずれの場合においても、評価指標「高温相水準値」は、高温相における基礎体温測定値の平均値としての意味を有する指標として導出される。
【０１３７】
ステップＳ４２５において、評価部は、高温相水準値と低温相水準値との差（高温相水準値−低温相水準値）が、摂氏０．２２度を上回るか否か、について判定する。当該差が摂氏０．２２度を上回ると判定された場合（「ＹＥＳ」）、処理はステップＳ４３１へ移行する。当該差が摂氏０．２２度以下であると判定された場合（「ＮＯ」）、処理はステップＳ４２８へ移行する。
【０１３８】
ステップＳ４２８において、評価部は、高温相水準値と低温相水準値との差（高温相水準値−低温相水準値）が、摂氏０．００度以上か否か、について判定する。当該差が摂氏０．００度以上であると判定された場合（「ＹＥＳ」）、処理はステップＳ４２９へ移行する。当該差が摂氏０．００度未満であると判定された場合（「ＮＯ」）、処理はステップＳ４３０へ移行する。
【０１３９】
ステップＳ４２９において、評価部は、高温相水準値の２倍の値から、低温相水準値および低温相水準上限値とを差し引いた値が、摂氏０．１５度以上か否か、について判定する。当該差し引いた値が摂氏０．１５度以上であると判定された場合（「ＹＥＳ」）、処理はステップＳ４３１へ移行する。当該差し引いた値が摂氏０．１５度未満であると判定された場合（「ＮＯ」）、処理はステップＳ４３０へ移行する。
【０１４０】
ステップＳ４３０において、評価部は、評価指標「相数」を、１相性に決定する。
【０１４１】
図８Ｄを参照すれば、ステップＳ４３１において、評価部は、評価指標「高温相上昇完了日」を特定することができたか否か、（特定され、かつ、無効化されていないか、）について判定する。評価指標「高温相上昇完了日」が特定されていると判定された場合（「ＹＥＳ」）、処理は、ステップＳ４３２へ移行する。評価指標「高温相上昇完了日」が特定されていないと判定された場合（「ＮＯ」）、処理は、ステップＳ４３９へ移行する。
【０１４２】
ステップＳ４３２において、評価部は、評価指標「上昇後最大下降日」を特定する。
【０１４３】
ここでの「上昇後最大下降日」は、高温相において前日の基礎体温測定値からの下降量が最も大きい日であって、具体的には、
・候補１：高温相上昇完了日の翌日から高温相下降開始日の前々日までの期間において、その日の基礎体温測定値が、高温相水準値＋摂氏０．１０度以下である日、
・候補２：高温相上昇完了日の翌日および高温相下降開始日で、その日の基礎体温測定値が、低温相水準値＋摂氏０．２０度を上回り、かつ、高温相水準値＋摂氏０．２０度以下である日、
のうちで、最も基礎体温測定値が低い日を指す。
【０１４４】
ステップＳ４３３において、評価部は、評価指標「上昇後下降日水準値」を導出する。
【０１４５】
ステップＳ４３３における導出過程では、「上昇後下降日水準値」は、高温相上昇完了日から高温相下降開始日までに含まれる日の基礎体温測定値についての以下の総和、
上昇後下降日水準値
＝（ΣＭａｘ（Ｍｉｎ（基礎体温測定値，低温相水準値＋摂氏０．３０度）−低温相水準値，０））
／（上昇後下降日水準値算出範囲において基礎体温測定値が、低温相水準値＋摂氏０．３０度未満である日の日数）、
であり、上昇後下降日水準値算出範囲は、高温相上昇完了日から高温相下降開始日までの期間である。ただし、上式の分子が摂氏ゼロ度となり、分母が１日となる場合は、上昇後下降日水準値を、摂氏０．３００度とする。
【０１４６】
ステップＳ４３４において、評価部は、評価指標「高温期安定度」を導出する。
【０１４７】
ステップＳ４３４における導出過程では、「高温期安定度」は、高温相上昇完了日から高温相下降開始日までに含まれる基礎体温測定値についての以下の総和、
高温期安定度
＝（ΣＭａｘ（Ｍｉｎ（基礎体温測定値，低温相水準値＋摂氏０．３０度）−低温相水準値，０））
／（高温期安定度算出範囲日数）、
であり、高温期安定度算出範囲日数は、高温相上昇完了日から高温相下降開始日までの日数である。
【０１４８】
ステップＳ４３５において、評価部は、評価指標「上昇後下降日数」を導出する。
【０１４９】
ステップＳ４３５における導出過程では、「上昇後下降日数」は、高温相上昇完了日から高温相下降開始日までに含まれる日であってその日の基礎体温測定値が、低温相水準値＋摂氏０．３０度未満である日の日数である。
【０１５０】
また、処理がステップＳ４３１からステップＳ４３９へ移行した場合、ステップＳ４３９において、評価部は、評価指標「上昇後下降日水準値」を導出する。
【０１５１】
ただし、ステップＳ４３９における導出過程では、ステップＳ４３３におけるそれと異なり、「上昇後下降日水準値」は、高温相初日から高温相最終日までに含まれる日の基礎体温測定値についての以下の総和、
上昇後下降日水準値
＝（ΣＭａｘ（Ｍｉｎ（基礎体温測定値，低温相水準値＋摂氏０．３０度）−低温相水準値，０））
／（上昇後下降日水準値算出範囲において基礎体温測定値が、低温相水準値＋摂氏０．３０度未満である日の日数）、
であり、上昇後下降日水準値算出範囲は、高温相初日から高温相最終日までの期間である。ただし、上式の分子が摂氏ゼロ度となり、分母が１日となる場合は、上昇後下降日水準値を、摂氏０．３００度とする。
【０１５２】
ステップＳ４３３およびステップＳ４３９のいずれの場合においても、評価指標「上昇後下降日水準値」は、高温相における基礎体温測定値のうち、低温相水準値＋摂氏０．３０度を下回る基礎体温測定値のみについての平均値としての意味を有する指標として導出される。
【０１５３】
また、処理がステップＳ４３１からステップＳ４３９へ移行した場合、ステップＳ４４０において、評価部は、評価指標「高温期安定度」を導出する。
【０１５４】
ただし、ステップＳ４４０における導出過程では、ステップＳ４３４におけるそれと異なり、「高温期安定度」は、高温相初日から高温相最終日までに含まれる基礎体温測定値についての以下の総和、
高温期安定度
＝（ΣＭａｘ（Ｍｉｎ（基礎体温測定値，低温相水準値＋摂氏０．３０度）−低温相水準値，０））
／（高温期安定度算出範囲日数）、
であり、高温期安定度算出範囲日数は、高温相初日から高温相最終日までの日数である。
【０１５５】
ステップＳ４３４およびステップＳ４４０のいずれの場合においても、評価指標「高温期安定度」は、高温相における基礎体温測定値の安定度を表す指標として導出される。
【０１５６】
また、処理がステップＳ４３１からステップＳ４３９へ移行した場合、ステップＳ４４１において、評価部は、評価指標「上昇後下降日数」を導出する。
【０１５７】
ただし、ステップＳ４４１における導出過程では、ステップＳ４３５におけるそれと異なり、「上昇後下降日数」は、高温相初日から高温相最終日までに含まれる日であってその日の基礎体温測定値が、低温相水準値＋摂氏０．３０度未満である日の日数である。
【０１５８】
ステップＳ４３５およびステップＳ４４１のいずれの場合においても、評価指標「上昇後下降日数」は、高温相において、基礎体温測定値が、低温相水準値＋摂氏０．３０度未満である日の日数を表す指標として導出される。
【０１５９】
次に、ステップＳ４３６において、評価部は、評価指標「高温十分連続日数」を導出する。
【０１６０】
ここでの「高温十分連続日数」は、高温相初日以降の日で構成される部分期間であって、その日の基礎体温測定値が、Ｍａｘ（低温相水準値＋摂氏０．２０度，低温相水準上限値）（低温相水準値＋摂氏０．２０度および低温相水準上限値のいずれか高い方の温度）以上の値を有する日が連続する期間のうちで最長の期間の日数である。
【０１６１】
つまり、指標「高温十分連続日数」は、低温相いおいて予め定めた温度よりも高い基礎体温測定値が連続する日数を表す指標として導出される。
【０１６２】
次に、ステップＳ４３７において、評価部は、評価指標「低温相不安定度」を導出する。
【０１６３】
ここでの「低温相不安定度」は、低温相における基礎体温測定値の変動の程度を表す指標であって、具体的には、月経周期の第７日から低温相最終日までに含まれる日の基礎体温測定値についての以下の総和、
低温相不安定度
＝Σ（基礎体温測定値のうちで、連続する２日の基礎体温測定値間の温度差が摂氏０．１５度以上である連続する２日の基礎体温測定値の差の絶対値）／（低温相水準値算出範囲日数−１）、
であり、低温相水準値算出範囲日数は、月経周期の第７日から低温相最終日までの日数である。
【０１６４】
ステップＳ４３８において、評価部は、評価指標「相数」を、２相性に決定する。
【０１６５】
以上ステップＳ４に含まれる処理により、評価部は、評価指標として、最高温度、最低温度、６日目以降傾斜、相数、高温相初日、高温相上昇完了日、高温相下降開始日、高温相下降完了日、高温相水準値、低温相水準値、低温相水準上限値、低温相水準下限値、基礎体温不安定度、低温相不安定度、高温期安定度、上昇後最大下降日、上昇後下降日水準値、上昇後下降日数、高温十分連続日数、を導出する。
【０１６６】
以下で詳述するステップＳ５、ステップＳ６に含まれる処理においては、評価部は、ステップＳ４で導出した複数の評価指標のいくつかを用いて黄体機能の評価、および、黄体機能以外についての評価を決定する。
【０１６７】
３．３．黄体機能評価動作の流れ
これより、図９Ａ乃至図９Ｇを参照し、黄体機能評価動作について詳細に説明する。
【０１６８】
図９Ａを参照すれば、ステップＳ５０１において、評価部は、月経周期が、１８日以上であるか否か、について判定する。月経周期が１８日以上であれば（「ＹＥＳ」）、処理はステップＳ５０２へ移行する。月経周期が１８日未満であれば（「ＮＯ」）、処理はステップＳ５０４へ移行する。
【０１６９】
ステップＳ５０２において、評価部は、基礎体温曲線の相数が、１相性であるか否か、について判定する。基礎体温曲線が２相性であれば（「ＮＯ」）、処理は、ステップＳ５０３へ移行する。基礎体温曲線が１相性であれば（「ＹＥＳ」）、処理は、ステップＳ５０４へ移行する。
【０１７０】
ステップＳ５０３において、評価部は、月経周期における高温相の日数が５日以上であるか否か、について判定する。高温相の日数が５日以上であれば（「ＹＥＳ」）、処理は、ステップＳ５０５へ移行する。高温相の日数が５日未満であれば（「ＮＯ」）、処理は、ステップＳ５０４へ移行する。
【０１７１】
ステップＳ５０４において、評価部は、黄体機能についての評価を「不全（排卵無し）」に決定する。
【０１７２】
図９Ｂを参照すれば、ステップＳ５０５において、評価部は、ステップＳ４において評価指標「高温相上昇完了日」を特定することができたか否か、について判定する。ステップＳ４において評価指標「高温相上昇完了日」が特定された場合（「ＹＥＳ」）、処理は、ステップＳ５０６へ移行する。ステップＳ４において評価指標「高温相上昇完了日」が特定されなかった場合（「ＮＯ」）、処理は、ステップＳ５１４へ移行する。
【０１７３】
ステップＳ５０６において、評価部は、高温相上昇完了日から高温相下降開始日までの日数が５日以上であるか否か、について判定する。当該日数が５日以上である場合（「ＹＥＳ」）、処理は、ステップＳ５０７へ移行する。当該日数が５日未満である場合（「ＮＯ」）、処理は、ステップＳ５１１へ移行する。
【０１７４】
ステップＳ５０７において、評価部は、高温十分連続日数が２日以下であるか否か、について判定する。当該日数が２日以下である場合（「ＹＥＳ」）、処理は、ステップＳ５１２へ移行する。当該日数が２日を超える場合（「ＮＯ」）、処理は、ステップＳ５０８へ移行する。
【０１７５】
ステップＳ５０８において、評価部は、高温十分連続日数が３日であるか否か、について判定する。当該日数が３日である場合（「ＹＥＳ」）、処理は、ステップＳ５０９へ移行する。当該日数が３日以外である場合（「ＮＯ」）、処理は、ステップＳ５１４へ移行する。
【０１７６】
ステップＳ５０９において、評価部は、低温相不安定度が摂氏０．２００度以上であるか否か、について判定する。低温相不安定度が摂氏０．２００度以上である場合（「ＹＥＳ」）、処理は、ステップＳ５１０へ移行する。当該不安定度が摂氏０．２００度未満である場合（「ＮＯ」）、処理は、ステップＳ５１４へ移行する。
【０１７７】
ステップＳ５１０において、評価部は、高温相安定度が摂氏０．２７５度未満であるか否か、について判定する。高温相安定度が摂氏０．２７５度未満である場合（「ＹＥＳ」）、処理は、ステップＳ５１１へ移行する。当該安定度が摂氏０．２７５度以上である場合（「ＮＯ」）、処理は、ステップＳ５１４へ移行する。
【０１７８】
ステップＳ５１１において、評価部は、黄体機能についての評価を「不全（排卵無し）」に決定する。
【０１７９】
また、ステップＳ５１２において、評価部は、低温相不安定度が摂氏０．１００度以上であるか否か、について判定する。低温相不安定度が摂氏０．１００度以上である場合（「ＹＥＳ」）、処理は、ステップＳ５１３へ移行する。当該不安定度が摂氏０．１００度未満である場合（「ＮＯ」）、処理は、ステップＳ５１４へ移行する。
【０１８０】
ステップＳ５１３において、評価部は、高温相安定度が摂氏０．２４０度未満であるか否か、について判定する。高温相安定度が摂氏０．２４０度未満である場合（「ＹＥＳ」）、処理は、ステップＳ５１１へ移行する。当該安定度が摂氏０．２４０度以上である場合（「ＮＯ」）、処理は、ステップＳ５１４へ移行する。
【０１８１】
図９Ｃを参照すれば、ステップＳ５１４において、評価部は、月経周期が、２１日以上であるか否か、について判定する。月経周期が２１日以上であれば（「ＹＥＳ」）、処理はステップＳ５１５へ移行する。月経周期が２１日未満であれば（「ＮＯ」）、処理はステップＳ５２０へ移行する。
【０１８２】
ステップＳ５１５において、評価部は、月経周期における高温相の日数が８日以上であるか否か、について判定する。高温相の日数が８日以上であれば（「ＹＥＳ」）、処理は、ステップＳ５１６へ移行する。高温相の日数が８日未満であれば（「ＮＯ」）、処理は、ステップＳ５２０へ移行する。
【０１８３】
ステップＳ５１６において、評価部は、ステップＳ４において評価指標「高温相上昇完了日」を特定することができたか否か、について判定する。ステップＳ４において評価指標「高温相上昇完了日」が特定された場合（「ＹＥＳ」）、処理は、ステップＳ５２１へ移行する。ステップＳ４において評価指標「高温相上昇完了日」が特定されなかった場合（「ＮＯ」）、処理は、ステップＳ５１７へ移行する。
【０１８４】
ステップＳ５１７において、評価部は、月経周期における高温相の日数が９日以上であるか否か、について判定する。高温相の日数が９日以上であれば（「ＹＥＳ」）、処理は、ステップＳ５２４へ移行する。高温相の日数が９日未満であれば（「ＮＯ」）、処理は、ステップＳ５１８へ移行する。
【０１８５】
ステップＳ５１８において、評価部は、低温相不安定度が摂氏０．２００度未満であるか否か、について判定する。低温相不安定度が摂氏０．２００度未満である場合（「ＹＥＳ」）、処理は、ステップＳ５２４へ移行する。当該不安定度が摂氏０．２００度以上である場合（「ＮＯ」）、処理は、ステップＳ５１９へ移行する。
【０１８６】
ステップＳ５１９において、評価部は、黄体機能についての評価を「不全（排卵有り）または不全（排卵無し）」に決定する。
【０１８７】
ステップＳ５２１において、評価部は、高温相上昇完了日から高温相下降開始日までの日数が９日以上であるか否か、について判定する。当該日数が９日以上である場合（「ＹＥＳ」）、処理は、ステップＳ５２４へ移行する。当該日数が９日未満である場合（「ＮＯ」）、処理は、ステップＳ５２２へ移行する。
【０１８８】
ステップＳ５２２において、評価部は、高温相上昇完了日から高温相下降開始日までの日数が８日であるか否か、について判定する。当該日数が８日である場合（「ＹＥＳ」）、処理は、ステップＳ５２３へ移行する。当該日数が８日以外である場合（「ＮＯ」）、処理は、ステップＳ５２０へ移行する。
【０１８９】
ステップＳ５２３において、評価部は、低温相不安定度が摂氏０．２００度未満であるか否か、について判定する。低温相不安定度が摂氏０．２００度未満である場合（「ＹＥＳ」）、処理は、ステップＳ５２４へ移行する。当該不安定度が摂氏０．２００度以上である場合（「ＮＯ」）、処理は、ステップＳ５２０へ移行する。
【０１９０】
ステップＳ５２０において、評価部は、ステップＳ５１９と同様、黄体機能についての評価を「不全（排卵有り）または不全（排卵無し）」に決定する。
【０１９１】
図９Ｄを参照すれば、ステップＳ５２４において、評価部は、ステップＳ４にて求めた評価指標から導出される二次的評価指標（Ｐ１、Ｐ２、Ｐ３、Ｐ４、Ｐ５、ＰＡ、ＰＢ、ＰＣ）を導出する。
【０１９２】
以下に二次的評価指標の導出過程について詳細に説明するが、先ず、評価指標Ｐ１、Ｐ２、Ｐ３、Ｐ４、Ｐ５の導出過程について説明する。Ｐ１乃至Ｐ５は、それぞれ、１、２、または、３のいずれかの値を取る。評価指標Ｐ１乃至Ｐ５は、それぞれ、別の観点から黄体機能の良好さを表す指標であり、いずれも、値が小さいほど、黄体機能が良好であることを意味する。
【０１９３】
指標Ｐ１は、以下の関数ｆ１が返す値である。
【０１９４】
関数ｆ１は、
・高温相水準値が、Ｍａｘ（低温相水準値＋摂氏０．３０度，（低温相水準値−摂氏３５．２５度）×０．９＋摂氏３５．７０度）以上であれば、値として１を返し、
・上記条件が満たされない場合において、高温相水準値が、Ｍａｘ（低温相水準値＋摂氏０．２５度，（低温相水準値−摂氏３５．２５度）×０．９＋摂氏３５．６５度）以上であれば、値として２を返し、
・上記２つの条件のいずれもが満たされない場合に、値として３を返す、
関数である。
【０１９５】
指標Ｐ２は、以下の関数ｆ２が返す値である。
【０１９６】
関数ｆ２は、
・高温相水準値が、Ｍａｘ（低温相水準上限値＋摂氏０．２０度，（低温相水準上限値−摂氏３５．００度）×（６／７）＋摂氏３５．４０度）以上であれば、値として１を返し、
・上記条件が満たされない場合において、高温相水準値が、Ｍａｘ（低温相水準上限値＋摂氏０．０５度，（低温相水準上限値−摂氏３５．０５度）×（６／７）＋摂氏３５．３５度）以上であれば、値として２を返し、
・上記２つの条件のいずれもが満たされない場合に、値として３を返す、
関数である。
【０１９７】
指標Ｐ３は、以下の関数ｆ３が返す値である。
【０１９８】
関数ｆ３は、
・上昇後最大下降日における基礎体温測定値が、Ｍａｘ（低温相水準値＋摂氏０．４０度，（低温相水準値−摂氏３５．２０度）×（２／３）＋摂氏３５．９０度）以上であれば、値として１を返し、
・上記条件が満たされない場合において、上昇後最大下降日における基礎体温測定値が、Ｍａｘ（低温相水準値＋摂氏０．２４度，（低温相水準値−摂氏３５．１２度）×（７／８）＋摂氏３５．５３度）以上であれば、値として２を返し、
・上記２つの条件のいずれもが満たされない場合に、値として３を返す、
関数である。
【０１９９】
指標Ｐ４は、以下の関数ｆ４が返す値である。
【０２００】
関数ｆ４は、
・上昇後最大下降日における基礎体温測定値が、低温相水準上限値に摂氏０．１６度を足した値以上であれば、値として１を返し、
・上記条件が満たされない場合において、上昇後最大下降日における基礎体温測定値が、低温相水準上限値から摂氏０．０５度を差し引いた値以上であれば、値として２を返し、
・上記２つの条件のいずれもが満たされない場合に、値として３を返す、
関数である。
【０２０１】
指標Ｐ５は、以下の関数ｆ５が返す値である。
【０２０２】
関数ｆ５は、
・上昇後最大下降日における基礎体温測定値が、高温相水準値から摂氏０．１６度を差し引いた値以上であれば、値として１を返し、
・上記条件が満たされない場合において、上昇後最大下降日における基礎体温測定値が、Ｍｉｎ（Ｍａｘ（高温相水準値−摂氏０．４２度，（高温相水準値−摂氏３５．００度）×０．５＋摂氏３５．４５度），高温相水準値−摂氏０．２６度）以上であれば、値として２を返し、
・上記２つの条件のいずれもが満たされない場合に、値として３を返す、
関数である。
【０２０３】
次に、評価指標ＰＡ、ＰＢ、ＰＣの導出過程について説明する。評価指標ＰＡ乃至ＰＣは、それぞれ、別の観点から黄体機能の良好さを表す指標であり、いずれも、値が小さいほど、黄体機能が良好であることを意味する。
【０２０４】
指標ＰＡは、ＰＡ＝Ｐ１＋Ｐ２＋Ｐ３＋Ｐ４＋Ｐ５、として導出される。
【０２０５】
指標ＰＢは、ＰＢ＝Ｐ３＋Ｐ４＋Ｐ５、として導出される。
【０２０６】
指標ＰＣは、Ｐ１乃至Ｐ５のうちの最大値（ＰＣ＝Ｍａｘ（Ｐ１，Ｐ２，Ｐ３，Ｐ４，Ｐ５））として導出される。
【０２０７】
さて、ステップＳ５２５において、評価部は、ステップＳ４において評価指標「高温相上昇完了日」を特定することができたか否か、について判定する。ステップＳ４において評価指標「高温相上昇完了日」が特定された場合（「ＹＥＳ」）、処理は、ステップＳ５２６へ移行する。ステップＳ４において評価指標「高温相上昇完了日」が特定されなかった場合（「ＮＯ」）、処理は、ステップＳ５４１へ移行する。
【０２０８】
ステップＳ５２６において、評価部は、高温相上昇完了日から高温相下降開始日までの日数が９日以上であるか否か、について判定する。当該日数が９日以上である場合（「ＹＥＳ」）、処理は、ステップＳ５４１へ移行する。当該日数が９日未満である場合（「ＮＯ」）、処理は、ステップＳ５２７へ移行する。
【０２０９】
ステップＳ５２７において、評価部は、高温相初日から高温相上昇完了日までの日数が３日以下であるか否か、について判定する。当該日数が３日以下である場合（「ＹＥＳ」）、処理は、ステップＳ５２８へ移行する。当該日数が３日よりも多い場合（「ＮＯ」）、処理は、ステップＳ５４１へ移行する。
【０２１０】
ステップＳ５２８において、評価部は、ステップＳ５２４において導出された二次的評価指標ＰＣの値が２以下であるか否か、について判定する。ＰＣの値が２以下である場合（「ＹＥＳ」）、処理は、ステップＳ５２９へ移行する。当該値が２よりも大きい場合（「ＮＯ」）、処理は、ステップＳ５４１へ移行する。
【０２１１】
ステップＳ５２９において、評価部は、ステップＳ５２４において導出された二次的評価指標ＰＡの値が６以下であるか否か、について判定する。ＰＡの値が６以下である場合（「ＹＥＳ」）、処理は、ステップＳ５３２へ移行する。当該値が６よりも大きい場合（「ＮＯ」）、処理は、ステップＳ５３０へ移行する。
【０２１２】
ステップＳ５３０において、評価部は、ステップＳ５２４において導出された二次的評価指標ＰＡの値が７以上９以下であるか否か、について判定する。ＰＡの値が７以上９以下である場合（「ＹＥＳ」）、処理は、ステップＳ５３１へ移行する。当該値が９よりも大きい場合（「ＮＯ」）、処理は、ステップＳ５４１へ移行する。
【０２１３】
ステップＳ５３１において、評価部は、黄体機能についての評価を「正常または不全（排卵有り）」に決定する。
【０２１４】
図９Ｅを参照すれば、ステップＳ５３２において、評価部は、ステップＳ５２４において導出された二次的評価指標ＰＢの値が３以下であるか否か、について判定する。ＰＢの値が３以下である場合（「ＹＥＳ」）、処理は、ステップＳ５３６へ移行する。当該値が３よりも大きい場合（「ＮＯ」）、処理は、ステップＳ５３３へ移行する。
【０２１５】
ステップＳ５３３において、評価部は、上昇後下降日数が１日以上であるか否か、について判定する。上昇後下降日数が１日以上である場合（「ＹＥＳ」）、処理は、ステップＳ５３４へ移行する。上昇後下降日数が１日未満である場合（「ＮＯ」）、処理は、ステップＳ５３５へ移行する。
【０２１６】
ステップＳ５３４において、評価部は、黄体機能についての評価を「正常または不全（排卵有り）」に決定する。
【０２１７】
また、ステップＳ５３５においては、評価部は、黄体機能についての評価を「正常」に決定する。
【０２１８】
また、ステップＳ５３６において、評価部は、上昇後下降日数が１日以上であるか否か、について判定する。上昇後下降日数が１日以上である場合（「ＹＥＳ」）、処理は、ステップＳ５３７へ移行する。上昇後下降日数が１日未満である場合（「ＮＯ」）、処理は、ステップＳ５３５へ移行する。
【０２１９】
ステップＳ５３７において、評価部は、上昇後下降日数が３日以上であるか否か、について判定する。上昇後下降日数が３日以上である場合（「ＹＥＳ」）、処理は、ステップＳ５４０へ移行する。上昇後下降日数が３日未満である場合（「ＮＯ」）、処理は、ステップＳ５３８へ移行する。
【０２２０】
ステップＳ５３８において、評価部は、高温期安定度が摂氏０．２９８度未満であるか否か、について判定する。高温期安定度が摂氏０．２９８度未満である場合（「ＹＥＳ」）、処理は、ステップＳ５３９へ移行する。当該安定度が摂氏０．２９８度以上である場合（「ＮＯ」）、処理は、ステップＳ５３５へ移行する。
【０２２１】
ステップＳ５３９において、評価部は、黄体機能についての評価を「正常または不全（排卵有り）」に決定する。
【０２２２】
また、ステップＳ５４０においては、評価部は、黄体機能についての評価を「不全（排卵有り）」に決定する。
【０２２３】
図９Ｆを参照すれば、ステップＳ５４１において、評価部は、上昇後下降日水準値が摂氏０．２２０度以上か否か、について判定する。上昇後下降日水準値が摂氏０．２２０度以上である場合（「ＹＥＳ」）、処理は、ステップＳ５４２へ移行する。当該水準値が摂氏０．２２０度未満である場合（「ＮＯ」）、処理は、ステップＳ５５３へ移行する。
【０２２４】
ステップＳ５４２において、評価部は、高温期安定度が摂氏０．２９５度以上であるか否か、について判定する。高温期安定度が摂氏０．２９５度以上である場合（「ＹＥＳ」）、処理は、ステップＳ５４７へ移行する。当該安定度が摂氏０．２９５度未満である場合（「ＮＯ」）、処理は、ステップＳ５４３へ移行する。
【０２２５】
ステップＳ５４３において、評価部は、高温期安定度が摂氏０．２８８度以上であるか否か、について判定する。高温期安定度が摂氏０．２８８度以上である場合（「ＹＥＳ」）、処理は、ステップＳ５４４へ移行する。当該安定度が摂氏０．２８８度未満である場合（「ＮＯ」）、処理は、ステップＳ５５３へ移行する。
【０２２６】
ステップＳ５４４において、評価部は、月経周期における高温相の日数が９日以上であるか否か、について判定する。高温相の日数が９日以上であれば（「ＹＥＳ」）、処理は、ステップＳ５４５へ移行する。高温相の日数が９日未満であれば（「ＮＯ」）、処理は、ステップＳ５５３へ移行する。
【０２２７】
ステップＳ５４５において、評価部は、上昇後下降日数が３日未満であるか否か、について判定する。上昇後下降日数が３日未満である場合（「ＹＥＳ」）、処理は、ステップＳ５４６へ移行する。上昇後下降日数が３日以上である場合（「ＮＯ」）、処理は、ステップＳ５５３へ移行する。
【０２２８】
ステップＳ５４６において、評価部は、黄体機能についての評価を「正常または不全（排卵有り）」に決定する。
【０２２９】
また、ステップＳ５４７において、評価部は、ステップＳ４において評価指標「高温相上昇完了日」を特定することができたか否か、について判定する。ステップＳ４において評価指標「高温相上昇完了日」が特定された場合（「ＹＥＳ」）、処理は、ステップＳ５４８へ移行する。ステップＳ４において評価指標「高温相上昇完了日」が特定されなかった場合（「ＮＯ」）、処理は、ステップＳ５４３へ移行する。
【０２３０】
ステップＳ５４８において、評価部は、ステップＳ５２４において導出された二次的評価指標ＰＡの値が９以下であるか否か、について判定する。ＰＡの値が９以下である場合（「ＹＥＳ」）、処理は、ステップＳ５４９へ移行する。当該値が９よりも大きい場合（「ＮＯ」）、処理は、ステップＳ５４３へ移行する。
【０２３１】
ステップＳ５４９において、評価部は、ステップＳ５２４において導出された二次的評価指標ＰＣの値が２以下であるか否か、について判定する。ＰＣの値が２以下である場合（「ＹＥＳ」）、処理は、ステップＳ５５０へ移行する。当該値が２よりも大きい場合（「ＮＯ」）、処理は、ステップＳ５４３へ移行する。
【０２３２】
ステップＳ５５０において、評価部は、月経周期における高温相の日数が９日以上であるか否か、について判定する。高温相の日数が９日以上であれば（「ＹＥＳ」）、処理は、ステップＳ５５２へ移行する。高温相の日数が９日未満であれば（「ＮＯ」）、処理は、ステップＳ５５１へ移行する。
【０２３３】
ステップＳ５５１において、評価部は、高温十分連続日数が８日以上であるか否か、について判定する。当該日数が８日以上である場合（「ＹＥＳ」）、処理は、ステップＳ５５２へ移行する。当該日数が８日未満である場合（「ＮＯ」）、処理は、ステップＳ５５６へ移行する。
【０２３４】
ステップＳ５５２において、評価部は、黄体機能についての評価を「不全（排卵有り）」に決定する。
【０２３５】
図９Ｇを参照すれば、ステップＳ５５３において、評価部は、高温十分連続日数が８日以上であるか否か、について判定する。当該日数が８日以上である場合（「ＹＥＳ」）、処理は、ステップＳ５５５へ移行する。当該日数が８日未満である場合（「ＮＯ」）、処理は、ステップＳ５５４へ移行する。
【０２３６】
ステップＳ５５４において、評価部は、黄体機能についての評価を「不全（排卵有り）または不全（排卵無し）」に決定する。
【０２３７】
また、ステップＳ５５５において、評価部は、上昇後下降日水準値が摂氏０．２０５度未満か否か、について判定する。上昇後下降日水準値が摂氏０．２０５度未満である場合（「ＹＥＳ」）、処理は、ステップＳ５５６へ移行する。当該水準値が摂氏０．２０５度以上である場合（「ＮＯ」）、処理は、ステップＳ５５４へ移行する。
【０２３８】
ステップＳ５５６において、評価部は、黄体機能についての評価を「不全（排卵有り）」に決定する。
【０２３９】
以上、ステップＳ５に含まれる処理により、評価部は、黄体機能についての評価を、「正常」、「不全（排卵有り）」、および、「不全（排卵無し）」、ならびに、それらのうちのいくつかの和に決定する。
【０２４０】
以下で詳述するステップＳ６に含まれる処理においては、評価部は、ステップＳ４で導出した複数の評価指標のいくつかを用いて黄体機能以外についての評価を決定する。
【０２４１】
３．４．黄体機能以外の評価動作の流れ
これより、図１０Ａおよび図１０Ｂを参照し、黄体機能以外についての評価動作について詳細に説明する。
【０２４２】
図１０Ａを参照すれば、ステップＳ６０１において、評価部は、月経周期の日数に基づいて、移行の処理を分岐させる。月経周期が２４日以下であれば（「２４日以下」）、処理は、ステップＳ６０２へ移行し、月経周期が９１日以上であれば（「９１日以上」）、処理は、ステップＳ６０７へ移行し、月経周期が３９日以上９０日以下であれば（「３９日以上９０日以下」）、処理は、ステップＳ６０８へ移行し、月経周期が２５日以上３８日以下であれば（「２５日以上３８日以下」）、処理は、ステップＳ６１３へ移行する。
【０２４３】
月経周期が２４日以下であれば、ステップＳ６０２において、評価部は、月経は「頻発月経である」と評価する。そして、処理は、ステップＳ６０３へ移行する。
【０２４４】
ステップＳ６０３において、評価部は、月経周期における低温相の日数が１１日以下であるか否か、について判定する。低温相の日数が１１日以下であれば（「ＹＥＳ」）、処理は、ステップＳ６０４へ移行する。低温相の日数が１１日より多ければ（「ＮＯ」）、処理は、ステップＳ６１６へ移行する。
【０２４５】
ステップＳ６０４において、評価部は、月経周期における高温相の日数が１０日以上であるか否か、について判定する。高温相の日数が１０日以上であれば（「ＹＥＳ」）、処理は、ステップＳ６０５へ移行する。高温相の日数が１０日未満であれば（「ＮＯ」）、処理は、ステップＳ６１６へ移行する。
【０２４６】
ステップＳ６０５において、評価部は、ステップＳ５において決定された黄体機能の評価に、排卵は有った、という評価が含まれるか否か、について判定する。黄体機能評価に「排卵有り」が含まれる場合（「ＹＥＳ」）、処理は、ステップＳ６０６へ移行する。黄体機能評価に「排卵有り」が含まれない場合（「ＮＯ」）、処理は、ステップＳ６１６へ移行する。
【０２４７】
ステップＳ６０６において、評価部は、卵胞期は「短い」と評価する。そして、処理は、ステップＳ６１６へ移行する。
【０２４８】
また、月経周期が９１日以上であれば、ステップＳ６０７において、評価部は、月経は「続発性無月経である」と評価する。そして、処理は、ステップＳ６１６へ移行する。
【０２４９】
また、月経周期が３９日以上９０日以下であれば、ステップＳ６０８において、評価部は、月経は「稀発月経である」と評価する。そして、処理は、ステップＳ６０９へ移行する。
【０２５０】
ステップＳ６０９において、評価部は、月経周期における低温相の日数が２５日以上であるか否か、について判定する。低温相の日数が２５日以上であれば（「ＹＥＳ」）、処理は、ステップＳ６１０へ移行する。低温相の日数が２５日未満であれば（「ＮＯ」）、処理は、ステップＳ６１６へ移行する。
【０２５１】
ステップＳ６１０において、評価部は、月経周期における高温相の日数が１６日以下であるか否か、について判定する。高温相の日数が１６日以下であれば（「ＹＥＳ」）、処理は、ステップＳ６１１へ移行する。高温相の日数が１６日より多ければ（「ＮＯ」）、処理は、ステップＳ６１６へ移行する。
【０２５２】
ステップＳ６１１において、評価部は、ステップＳ５において決定された黄体機能の評価に、排卵は有った、という評価が含まれるか否か、について判定する。黄体機能評価に「排卵有り」が含まれる場合（「ＹＥＳ」）、処理は、ステップＳ６１２へ移行する。黄体機能評価に「排卵有り」が含まれない場合（「ＮＯ」）、処理は、ステップＳ６１６へ移行する。
【０２５３】
ステップＳ６１２において、評価部は、卵胞期は「長い」と評価する。そして、処理は、ステップＳ６１６へ移行する。
【０２５４】
また、月経周期が２５日以上３８日以下であれば、ステップＳ６１３において、評価部は、前回の月経の周期（今回の月経の開始日の前日を最終日とする月経の周期）が、９０日以下であるか否か、について判定する。前回の月経周期が９０日以下であれば（「ＹＥＳ」）、処理はステップＳ６１４へ移行する。前回の月経周期が９０日より多ければ（「ＮＯ」）、処理はステップＳ６１６へ移行する。
【０２５５】
ステップＳ６１４において、評価部は、前回の月経周期の日数と、今回の月経周期の日数と、を比較し、両者の差が８日以上であるか否か、について判定する。両者の差が、８日以上であれば（「ＹＥＳ」）、処理は、ステップＳ６１５へ移行する。両者の差が、８日未満であれば（「ＮＯ」）、処理は、ステップＳ６１６へ移行する。
【０２５６】
ステップＳ６１５において、評価部は、月経は「不正月経周期」であると評価する。そして、処理は、ステップＳ６１６へ移行する。
【０２５７】
図１０Ｂを参照すれば、ステップＳ６１６において、評価部は、基礎体温曲線の相数が、１相性であるか否か、について判定する。基礎体温曲線が２相性であれば（「ＮＯ」）、処理は、ステップＳ６１７へ移行する。基礎体温曲線が１相性であれば（「ＹＥＳ」）、処理は、ステップＳ６１９へ移行する。
【０２５８】
ステップＳ６１７において、評価部は、低温相水準値が、摂氏３５．５０度以下であるか否か、について判定する。低温相水準値が、摂氏３５．５０度以下である場合（「ＹＥＳ」）、処理は、ステップＳ６１８へ移行する。低温相水準値が、摂氏３５．５０度より高い場合（「ＹＥＳ」）、ステップＳ６の処理は、終了（リターン）し、ステップＳ７へ移行する。
【０２５９】
ステップＳ６１８において、評価部は、被験者の体温は「低い」と評価する。そして、ステップＳ６の処理は、終了（リターン）し、ステップＳ７へ移行する。なお、ステップＳ６において本ステップを通過しない場合、評価部は、（デフォルト値として）被験者の体温は「低くない」と評価してよい。
【０２６０】
また、ステップＳ６１９において、評価部は、月経周期における平均温度が、摂氏３５．５０度以下であるか否か、について判定する。月経周期における平均温度が、摂氏３５．５０度以下である場合（「ＹＥＳ」）、処理は、ステップＳ６１８へ移行する。月経周期における平均温度が、摂氏３５．５０度より高い場合（「ＮＯ」）、ステップＳ６の処理は、終了（リターン）し、ステップＳ７へ移行する。
【０２６１】
以上、ステップＳ６に含まれる処理により、評価部は、黄体機能以外についての評価を、決定することができる。黄体機能以外の評価には、卵胞期の長短、月経、被験者の体温等が含まれ、それらに限定されない。
【０２６２】
上述したように、サーバ３００は、最後に、ステップＳ７として、制御部３１０が出力部として動作することにより、黄体機能および黄体機能以外の評価の結果を予め定めた形態で出力する。このとき出力される情報には、評価結果の他に、いくつかの評価指標の値が含まれてよい。
【０２６３】
以下では、スマートフォン２００が、評価結果およびいくつかの評価指標の値のデータを受け取って、当該データに基づいて、基礎体温曲線の模式図を描画する態様が示される。しかしながら、以下に示す描画動作をサーバ３００が行い、結果として得られる画像データを、スマートフォン２００へ送出し、スマートフォン２００がサーバ３００から受け取った画像データに基づいて、基礎体温曲線模式図を表示させてもよい。
【０２６４】
４．スマートフォンによる模式図の描画
これより、スマートフォン２００の制御部２１０が描画部として動作することにより行われる基礎体温曲線模式図の描画について詳細に説明する。
【０２６５】
図１１Ａ乃至図１１Ｃは、描画部として動作するスマートフォン２００の制御部２１０が、サーバ３００より受け取った評価結果およびいくつかの評価指標のデータに基づいて基礎体温曲線の模式図の画像データを生成する動作のフローチャートである。
【０２６６】
図１１Ａを参照すれば、ステップＳ７０１において、描画部として制御部２１０（以下、「描画部」と略称する。）は、ステップＳ５においてなされた黄体機能の評価の結果に基づいて、移行の処理を分岐させる。黄体機能評価結果が、「不全（排卵有り）」または「不全（排卵有り）または不全（排卵無し）」であれば、処理は、ステップＳ７０３へ移行する。他方、黄体機能評価結果が、「正常」、「正常または不全（排卵有り）」、または、「不全（排卵無し）」であれば、処理は、ステップＳ７０２へ移行する。
【０２６７】
ステップＳ７０２において、描画部は、サーバ３００から取得した評価指標「上昇後最大下降日」の値を無効化する。そして、処理は、ステップＳ７０５へ移行する。
【０２６８】
また、ステップＳ７０３において、描画部は、サーバ３００から取得した評価指標「上昇後最大下降日」の日における基礎体温測定値から、サーバ３００から取得した評価指標「低温相水準値」の値を差し引いた値が、摂氏０．３０度以上であるか否か、について判定する。当該差し引いた値が、摂氏０．３０度以上である場合（「ＹＥＳ」）、処理はステップＳ７０４へ移行する。当該差し引いた値が、摂氏０．３０度未満である場合（「ＮＯ」）、処理はステップＳ７０５へ移行する。
【０２６９】
ステップＳ７０４において、描画部は、サーバ３００から取得した評価指標「上昇後最大下降日」の日における基礎体温測定値から、サーバ３００から取得した評価指標「低温相水準上限値」の値を差し引いた値が、摂氏０．００度以上であるか否か、について判定する。当該差し引いた値が、摂氏０．００度以上である場合（「ＹＥＳ」）、処理はステップＳ７０２へ移行する。当該差し引いた値が、摂氏０．００度未満である場合（「ＮＯ」）、処理はステップＳ７０５へ移行する。
【０２７０】
図１１Ｂを参照すれば、ステップＳ７０５において、描画部は、サーバ３００から取得した評価指標「（基礎体温曲線の）相数」が、１相性であるか否か、について判定する。当該相数が２相性であれば（「ＮＯ」）、処理は、ステップＳ７０６へ移行する。当該相数が１相性であれば（「ＹＥＳ」）、処理は、ステップＳ７１３へ移行する。
【０２７１】
ステップＳ７０６において、描画部は、最初の座標値（第１の座標の値）を、（月経周期の第１日，低温相水準値）に決定する。
【０２７２】
ステップＳ７０７において、描画部は、その次の座標値（第２の座標の値）を、（低温相最終日，低温相水準値）に決定する。
【０２７３】
ステップＳ７０８において、描画部は、サーバ３００から取得したデータに基づいて、ステップＳ４において評価指標「高温相上昇完了日」を特定することができたか否か、について判定する。ステップＳ４において評価指標「高温相上昇完了日」が特定された場合（「ＹＥＳ」）、処理は、ステップＳ７１０へ移行する。ステップＳ４において評価指標「高温相上昇完了日」が特定されなかった場合（「ＮＯ」）、処理は、ステップＳ７０９へ移行する。
【０２７４】
ステップＳ７０９において、描画部は、さらにその次の座標値（第３の座標の値）を、（高温相初日，高温相水準値）に決定する。
【０２７５】
ステップＳ７１０において、描画部は、さらにその次の座標値（第３の座標の値）を、（高温相上昇完了日，高温相水準値）に決定する。
【０２７６】
ステップＳ７１１において、描画部は、サーバ３００から取得したデータに基づいて、ステップＳ４において評価指標「上昇後最大下降日」を特定することができたか否か、について判定する。ステップＳ４において評価指標「上昇後最大下降日」が特定された場合（「ＹＥＳ」）、処理は、ステップＳ７１２へ移行する。ステップＳ４において評価指標「上昇後最大下降日」が特定されなかった場合（「ＮＯ」）、処理は、ステップＳ７１５へ移行する。
【０２７７】
ステップＳ７１２において、描画部は、さらにその次の座標値（第４の座標の値）を、（上昇後最大下降日，上昇後最大下降日の基礎体温測定値）に決定する。
【０２７８】
また、ステップＳ７１３において、描画部は、最初の座標値（第１の座標の値）を、（月経周期の第１日，月経周期の平均温度）に決定する。
【０２７９】
ステップＳ７１４において、描画部は、その次の座標値（第２の座標の値）を、（月経周期の最終日，月経周期の平均温度）に決定する。
【０２８０】
図１１Ｃを参照すれば、ステップＳ７１５において、描画部は、サーバ３００から取得したデータに基づいて、ステップＳ４において評価指標「高温相下降開始日」を特定することができたか否か、について判定する。ステップＳ４において評価指標「高温相下降開始日」が特定された場合（「ＹＥＳ」）、処理は、ステップＳ７１７へ移行する。ステップＳ４において評価指標「高温相下降開始日」が特定されなかった場合（「ＮＯ」）、処理は、ステップＳ７１６へ移行する。
【０２８１】
ステップＳ７１６において、描画部は、さらにその次の座標値（第４（または第５）の座標の値）を、（月経周期の最終日，高温相水準値）に決定する。
【０２８２】
また、ステップＳ７１７において、描画部は、サーバ３００から取得したデータに基づいて、ステップＳ４において特定された評価指標「高温相下降開始日」が月経最終日と一致するか否か、について判定する。両日が一致する場合（「ＹＥＳ」）、処理は、ステップＳ７１６へ移行する。両日が一致しない場合（「ＮＯ」）、処理は、ステップＳ７１８へ移行する。
【０２８３】
ステップＳ７１８において、描画部は、さらにその次の座標値（第４（または第５）の座標の値）を、（高温相下降開始日，高温相水準値）に決定する。
【０２８４】
ステップＳ７１９において、描画部は、さらにその次の座標値（第５（または第６）の座標の値）を、（月経周期の最終日，低温相水準値）に決定する。
【０２８５】
ステップＳ７２０において、描画部は、ステップＳ７０１乃至ステップＳ７１９において決定された複数の座標値を、第１の座標値、第２の座標値、・・・の順に接続されるように線分を描画する。
【０２８６】
このようにして生成された基礎体温曲線模式図（折れ線グラフ）を基礎体温測定値に基づく基礎体温曲線に重畳して表示することにより、ユーザは、自身の黄体機能等についより直観的に理解することが可能となり、その結果として、ユーザが、医師の診察を受ける等、適切な行動を積極的に実行することが期待できる。
【０２８７】
５．まとめ
このように本システム１００は、黄体機能等の評価を行い、評価の結果を、ユーザに通知することができる。ユーザは、自身の黄体機能に関する知見を簡便に、かつ人に知られずに、取得できる。また、システム１００は、基礎体温曲線の模式図をユーザに提示する。そのため、ユーザは、自身の体調について、手軽に直観的に理解でき、その結果として、ユーザに適切な行動（医師の診察を受ける等）を促す効果が期待できる。
【０２８８】
なお、本明細書において、黄体機能が不全である、とは、黄体機能が正常でない状態を全て含む意味で用いられる。つまり、黄体機能が不全である状態には、黄体機能は正常ではないものの排卵は行われるケース、および、黄体機能は正常ではなく排卵も行われないケースの両方が含まれる。
【０２８９】
本システム１００は、ハードウェアとしての、体温計、スマートフォン（端末装置）、コンピュータ（サーバ）、および、ソフトウェア（それらのプロセッサにより実行されるコンピュータ・プログラム）により、実現可能である。
【０２９０】
当該プログラムは、アプリケーションソフトウェアとして、ＣＤ、ＤＶＤ、フラッシュメモリなどの記録媒体に記録することができる。この記録媒体に記録されたアプリケーションソフトウェアを、スマートフォン、パーソナル・コンピュータ、ＰＤＡ（パーソナル・デジタル・アシスタンツ）などの実質的なコンピュータ装置にインストールすることによって、それらのコンピュータ装置に、基礎体温データの送受信、黄体機能評価、黄体機能評価の送受信、黄体機能評価結果の表示等を実行させることができる。
【０２９１】
なお、スマートフォン２００にサーバ３００の機能を組み込んでもよい。また、そのようなスマートフォンに、さらに体温計４００のセンサ部４３０を組み込むことにより、本システム１００を、実質的にスマートフォンのみで構成することも可能である。
【０２９２】
また、前段のようなスマートフォンを、パーソナル・コンピュータ、タブレット型コンピュータ等により構成してもよい。
【０２９３】
つまり、本発明の一態様である黄体機能評価装置は、
或る被験者についての複数日にわたる基礎体温測定値の情報を含む基礎体温データを取得する体温取得部と、
複数日中に含まれる月経開始日、および、月経開始日に対応する月経最終日の情報を取得する月経周期取得部と、
月経開始日から前記月経最終日までの期間中の相異なる日に測定された複数の基礎体温測定値に基づいて、黄体の機能を評価する評価部と、
評価部による黄体機能評価の結果を出力する出力部と、を有し、
さらに、
外部の体温計が検出した体温を基礎体温測定値として当該外部の体温計から受信し、体温取得部へ出力する通信部と、
出力部が出力した前記黄体機能評価の結果を受けて、当該結果をユーザへ通知する通知部と、を有する黄体機能評価装置であってもよい。
【０２９４】
なお、体温計４００にサーバ３００およびスマートフォン２００の機能を組み込んでもよい。そうすることにより、本システム１００を、実質的にそのような体温計のみで構成することも可能である。
【０２９５】
つまり、本発明の一態様である黄体機能評価装置は、
或る被験者についての複数日にわたる基礎体温測定値の情報を含む基礎体温データを取得する体温取得部と、
複数日中に含まれる月経開始日、および、月経開始日に対応する月経最終日の情報を取得する月経周期取得部と、
月経開始日から前記月経最終日までの期間中の相異なる日に測定された複数の基礎体温測定値に基づいて、黄体の機能を評価する評価部と、
評価部による黄体機能評価の結果を出力する出力部と、を有し、
さらに、
体温を検出するセンサ部と、
出力部が出力した黄体機能評価の結果を受けて、当該結果をユーザへ通知する通知部と、を有し、
体温取得部は、センサ部が検出した体温を前記基礎体温測定値として取得する、黄体機能評価装置であってもよい。
【０２９６】
また、動作フローに示された各ステップは、例であり、その他のフローにより、本システム１００を実現することも当然のことながら可能である。また、各ステップの順番や構成は、本発明の趣旨を逸脱しない範囲で、任意に置き換え、統合、分割、が可能である。
【０２９７】
なお、図１０ＡのステップＳ６０６、Ｓ６１２等における卵胞期の長短の評価と関連し、上記実施例では、卵胞期の日数の正常な範囲として、「高温相の日数、および、月経周期の日数がともに正常と考えられる範囲」を想定しており、卵胞期の日数の正常範囲を、「おおむね１１から２４日程度」としている。そして、上記実施例では、当該正常範囲との比較において、卵胞期の「長短」の評価が行われる。
【０２９８】
また、上記実施例では、ここでは、「低温相＝卵胞期」および「高温相＝黄体期」を想定している。「月経周期の日数＝低温相の日数＋高温相の日数」であるから、上記実施例では、卵胞期の日数を、「卵胞期の日数＝低温相の日数＝月経周期の日数−高温相の日数」より求めている。
【０２９９】
また、上記実施例では、月経周期の日数が正常である範囲として、２５〜３８日を想定している。また、上記実施例では、高温相の日数が正常である範囲として、１１〜１６日（１４日が標準）を想定している。よって、上記実施例では、卵胞期の日数の目安として、１１（＝２５−１４）日〜２４（＝３８−１４）日を想定している。
【０３００】
しかしながら、上記の数値は、一例に過ぎず、別の数値であっても、本発明を実施することは可能である。
【０３０１】
例えば、卵胞期の日数が正常である範囲の目安として、おおむね１２〜１８日程度としてもよい。或る文献（日本産科婦人科学会  研修コーナー（５９巻４号  ２００７年）ｈｔｔｐ：／／ｗｗｗ．ｊｓｏｇ．ｏｒ．ｊｐ／ａｃｔｉｖｉｔｙ／ｐｄｆ／ｋｅｎｓｈｕ＿５９−４．ｐｄｆ）によれば、「低温相は、通常１２〜１８日であり、２０日以上持続する場合はＦＳＨ分泌不全による卵胞発育の遅延を疑う。」とある。
【０３０２】
実施例に挙げた数値は、いずれも、一例に過ぎず、本発明は、それら数値例により、限定されるものではない。
【符号の説明】
【０３０３】
１００    黄体機能評価システム
２００    スマートフォン（端末装置）
２００Ｍ  スマートフォン本体
２１０    スマートフォン制御部
２２０    メモリ
２３０    スマートフォン操作部
２４０    表示部
２４１    黄体機能評価結果にもとづくコメント
２４２    基礎体温曲線
２４３    基礎体温曲線模式図
２８０    ＮＦＣ通信部
２９０    ネットワーク通信部
３００    サーバ（黄体機能評価装置）
３１０    サーバ制御部
３２０    サーバ記憶部
３２１    データベース
３３０    サーバ操作部
３４０    サーバ表示部
３９０    ネットワーク通信部
４００    体温計
４００Ｍ  ケーシング
４１０    体温計制御部
４２０    メモリ
４３０    センサ部
４４０    体温計表示部
４９０    ＮＦＣ通信部
９００    ネットワーク
【手続補正２】
【補正対象書類名】図面
【補正対象項目名】図８Ｄ
【補正方法】変更
【補正の内容】
【図８Ｄ】
2013230300.tif 000001
【手続補正３】
【補正対象書類名】図面
【補正対象項目名】図９Ｄ
【補正方法】変更
【補正の内容】
【図９Ｄ】
2013230300.tif 000002
【手続補正４】
【補正対象書類名】図面
【補正対象項目名】図１１Ｂ
【補正方法】変更
【補正の内容】
【図１１Ｂ】
2013230300.tif 000003